(57)【要約】【課題】  無線方式により接続された複数の端末のなかから，特定の端末を直感的に分かりやすく簡単に指定する。【解決手段】  データ送信装置１００は，複数のデータ受信装置のうち，撮像部１０４により撮像されたデータ受信装置２００を表示する表示部１０６と；表示部１０６に表示されたデータ受信装置２００をデータの送信先と認識するデータ送信先認識部１０８と；データ送信先認識部１０８によりデータの送信先であると認識されたデータ受信装置２００に指向性アンテナを向ける指向性アンテナ部１１８と；指向性アンテナ部１１８により指向性アンテナが向けられたデータ受信装置２００に，通信指定コマンドを送信するコマンド送信部１２４と；データ受信装置２００の機器アドレスを記憶する機器アドレス記憶部１１６と；を備える。【選択図】    図２
2006197248.tif 000002
【特許請求の範囲】
【請求項１】
撮像部を備えたデータ送信装置と複数のデータ受信装置との間で無線通信により双方向にデータを送受信可能な無線通信システムであって：
前記データ送信装置は，
前記複数のデータ受信装置のうち，前記撮像部により撮像されたデータ受信装置を表示する表示部と；
前記表示部に表示された前記データ受信装置をデータの送信先と認識するデータ送信先認識部と；
前記データ送信先認識部によりデータの送信先であると認識された前記データ受信装置に指向性アンテナを向ける指向性アンテナ部と；
前記指向性アンテナ部により指向性アンテナが向けられた前記データ受信装置に，通信指定コマンドを送信するコマンド送信部と；
前記データ受信装置の機器アドレスを記憶する機器アドレス記憶部と；を備え，
前記データ受信装置は；
前記データ送信装置により送信された通信指定コマンドを受信するコマンド受信部と；
前記通信指定コマンド受信部により通信指定コマンドを受信後，前記データ送信装置に自身の機器アドレスを含むＡＣＫパケットを送信するＡＣＫ送信部と；
を備えることを特徴とする，無線通信システム。
【請求項２】
複数のデータ受信装置との間で無線通信により双方向にデータを送受信可能な，撮像部を備えたデータ送信装置であって；
前記複数のデータ受信装置のうち，前記撮像部により撮像されたデータ受信装置を表示する表示部と；
前記表示部に表示された前記データ受信装置をデータの送信先と認識するデータ送信先認識部と；
前記データ送信先認識部によりデータの送信先であると認識された前記データ受信装置に指向性アンテナを向ける指向性アンテナ部と；
前記指向性アンテナ部により指向性アンテナが向けられた前記データ受信装置に，通信指定コマンドを送信するコマンド送信部と；
前記コマンド送信部により通信指定コマンドを送信された前記データ受信装置から，前記データ受信装置の機器アドレスを含むＡＣＫパケットを受信するＡＣＫ受信部と；
前記ＡＣＫ受信部により受信された前記データ受信装置の機器アドレスを記憶する機器アドレス記憶部と；
を備えることを特徴とする，データ送信装置。
【請求項３】
前記データ送信装置は，無指向性アンテナと指向性アンテナとを備え，
ユーザの入力により送信先指定モードを設定する送信先指定モード設定部と；
前記送信先指定モード設定部により送信先指定モードが設定された場合，前記データ送信装置に備わるアンテナを無指向性アンテナから指向性アンテナに切り替えるアンテナ切替部と；を備え，
前記アンテナ切替部は，前記機器アドレス記憶部により前記データ受信装置の機器アドレスが記憶された後，前記データ送信装置に備わるアンテナを指向性アンテナから無指向性アンテナに切り替えることを特徴とする，請求項２に記載のデータ送信装置。
【請求項４】
前記コマンド送信部により前記データ受信装置に送信される前記通信指定コマンドは，少なくとも前記送信装置を特定する情報と，送信データの長さと，送信データの種類とを含むことを特徴とする，請求項２に記載のデータ送信装置。
【請求項５】
前記データ受信装置に送信するデータとともに，少なくとも前記機器アドレス記憶部に記憶された前記データ受信装置の機器アドレスを送信することを特徴とする，請求項２に記載のデータ送信装置。
【請求項６】
前記コマンド送信部は，前記表示部に表示された前記データ受信装置に，赤外線により通信指定コマンドを送信することを特徴とする，請求項２に記載のデータ送信装置。
【請求項７】
前記データ送信装置に備わる前記撮像部は，赤外線を用いたオートフォーカス機構により前記データ受信装置までの距離を測定し，測定された距離に応じて送信するデータの送信出力を決定することを特徴とする，請求項２に記載のデータ送信装置。
【請求項８】
前記データ送信装置に備わる前記撮像部は，赤外線を用いたオートフォーカス機構により前記データ受信装置までの距離を測定し，測定された距離に応じてデータを送信するデータ伝送レートを決定することを特徴とする，請求項２に記載のデータ送信装置。
【請求項９】
前記データ送信装置に備わる前記撮像部は，赤外線を用いたオートフォーカス機構により前記データ受信装置までの距離を測定し，測定された距離に応じて無線方式を決定することを特徴とする，請求項２に記載のデータ送信装置。
【請求項１０】
撮像部を備えたデータ送信装置により，複数のデータ受信装置との間で無線通信により双方向にデータを送受信可能な，データ送信方法であって；
前記複数のデータ受信装置のうち，前記撮像部により撮像されたデータ受信装置を表示する表示工程と；
前記表示工程により表示された前記データ受信装置をデータの送信先と認識するデータ送信先認識工程と；
前記データ送信先認識工程によりデータの送信先であると認識された前記データ受信装置に指向性アンテナを向ける指向性アンテナ工程と；
前記指向性アンテナ工程により指向性アンテナが向けられた前記データ受信装置に，通信指定コマンドを送信するコマンド送信工程と；
前記コマンド送信工程により通信指定コマンドを送信された前記データ受信装置から，前記データ受信装置の機器アドレスを含むＡＣＫパケットを受信するＡＣＫ受信工程と；
前記ＡＣＫ受信部により受信された前記データ受信装置の機器アドレスを記憶する機器アドレス記憶工程と；
を備えることを特徴とする，データ送信方法。
【発明の詳細な説明】
【技術分野】
【０００１】
本発明は，無線通信システム，データ送信装置および無線通信方法に関する。
【背景技術】
【０００２】
情報技術の発展に伴い，複数のコンピュータを情報通信手段で接続し，ファイルやデータ等の情報を送受信したり，共有したりすることが可能なＬＡＮ（ローカルエリアネットワーク）を構成することが一般的に知られている。
【０００３】
最近では，パーソナルコンピュータ（ＰＣ）等の情報処理装置が普及し，テレビジョン（ＴＶ）等の家電製品が情報化するに伴って，例えば，それらの装置を無線通信で接続し家庭内など個人が利用するネットワーク（Ｗ−ＰＡＮ：Ｗｉｒｅｌｅｓｓ−Ｐｅｒｓｏｎａｌ  Ａｒｅａ  Ｎｅｔｗｏｒｋ）等が知られている。Ｗ−ＰＡＮは，半径１０ｍ程度の狭い範囲で高速伝送が可能な無線方式である。
【０００４】
従来，例えばデジカメからプリンタ等にファイルやデータ等の情報を送受信する場合には，機器同士をケーブルを用いて接続する必要があった。しかし，Ｗ−ＰＡＮによりデータの送受信を行うことが可能となるため，Ｗ−ＰＡＮをケーブルの代替として用いることが可能となる。Ｗ−ＰＡＮの範囲内で無線通信が可能な機器同士は，互いに周辺の無線端末の情報を取得し，無線端末同士が接続可能な状態となる。
【０００５】
【特許文献１】特開平１１−１５０６７１号公報
【発明の開示】
【発明が解決しようとする課題】
【０００６】
ユーザが所有する無線端末から他の無線端末にデータを送信する際には，データの送信先となる無線端末を特定する必要がある。上述したように，Ｗ−ＰＡＮ内では電源が投下されているすべての無線端末が接続可能な状態となっている。そのため，ユーザは，接続可能な無線端末のなかから，データの送信先となる１の無線端末を指定する面倒な設定を行わなければならず，ユーザに対する負荷が高いという問題があった。
【０００７】
そこで，本発明は，このような問題に鑑みてなされたもので，その目的とするところは，無線方式により接続された複数の端末のなかから，面倒な設定をせずとも，簡単に特定の端末を指定することができ，ユーザに対する負荷を軽減可能な新規かつ改良された，無線通信システム，データ送信装置，データ送信方法を提供することにある。
【課題を解決するための手段】
【０００８】
上記課題を解決するために，本発明のある観点によれば，撮像部を備えたデータ送信装置と複数のデータ受信装置との間で無線通信により双方向にデータを送受信可能な無線通信システムであって：データ送信装置は，複数のデータ受信装置のうち，撮像部により撮像されたデータ受信装置を表示する表示部と；表示部に表示されたデータ受信装置をデータの送信先と認識するデータ送信先認識部と；データ送信先認識部によりデータの送信先であると認識されたデータ受信装置に指向性アンテナを向ける指向性アンテナ部と；指向性アンテナ部により指向性アンテナが向けられたデータ受信装置に，通信指定コマンドを送信するコマンド送信部と；データ受信装置の機器アドレスを記憶する機器アドレス記憶部と；を備え，データ受信装置は；データ送信装置により送信された通信指定コマンドを受信するコマンド受信部と；通信指定コマンド受信部により通信指定コマンドを受信後，データ送信装置に自身の機器アドレスを含むＡＣＫパケットを送信するＡＣＫ送信部と；を備えることを特徴とする無線通信システムが提供される。
【０００９】
上記発明によれば，データ送信装置に備えられた撮像部によりデータの送信先となるデータ受信装置が撮像され，撮像されたデータ受信装置に通信指定コマンドが送信される。通信指定コマンドを送信されたデータ受信装置は，データ受信装置の機器アドレスを含むＡＣＫパケットをデータ送信装置に送信する。データ送信装置は，ＡＣＫパケットに含まれる機器アドレスを元にデータを送信することができる。かかる構成によれば，ユーザは，データ受信装置を撮像するだけで，面倒な設定をせずに，直感的にかつ容易にデータの送信先となるデータ受信装置を指定することが可能となる。
【００１０】
上記課題を解決するために，本発明の別の観点によれば，複数のデータ受信装置との間で無線通信により双方向にデータを送受信可能な，撮像部を備えたデータ送信装置であって；複数のデータ受信装置のうち，撮像部により撮像されたデータ受信装置を表示する表示部と；表示部に表示されたデータ受信装置をデータの送信先と認識するデータ送信先認識部と；データ送信先認識部によりデータの送信先であると認識されたデータ受信装置に指向性アンテナを向ける指向性アンテナ部と；指向性アンテナ部により指向性アンテナが向けられたデータ受信装置に，通信指定コマンドを送信するコマンド送信部と；前記コマンド送信部により送信された前記データ受信装置から，前記データ受信装置の機器アドレスを含むＡＣＫパケットを受信するＡＣＫ受信部と；前記ＡＣＫ受信部により受信された前記データ受信装置の機器アドレスを記憶する機器アドレス記憶部と；を備えることを特徴とする，データ送信装置が提供される。
【００１１】
かかる構成により，ユーザは，データ受信装置を撮像するだけで，面倒な設定をせずに，直感的にかつ容易にデータの送信先となるデータ受信装置を指定することが可能となる。
【００１２】
上記データ送信装置は，無指向性アンテナと指向性アンテナとを備え，ユーザの入力により送信先指定モードを設定する送信先指定モード設定部と；送信先指定モード設定部により送信先指定モードが設定された場合，データ送信装置に備わるアンテナを無指向性アンテナから指向性アンテナに切り替えるアンテナ切替部と；を備え，アンテナ切替部は，機器アドレス記憶部によりデータ受信装置の機器アドレスが記憶された後，データ送信装置に備わるアンテナを指向性アンテナから無指向性アンテナに切り替えるようにしてもよい。
【００１３】
上記発明によれば，１のデータ受信装置に指向性アンテナと無指向性アンテナとを備えられ，ユーザの入力に応じてアンテナを切り替えることができる。これにより，通常は無指向性アンテナを備える一般的な移動端末として機能し，データ送信先を特定するときのみ指向性アンテナを利用して，データ送信先を指定することが可能となる。
【００１４】
また，コマンド送信部によりデータ受信装置に送信される通信指定コマンドは，少なくとも送信装置を特定する情報と，送信データの長さと，送信データの種類とを含むようにしてもよい。これにより，通信指定コマンドを受信したデータ受信装置は，データ送信装置より送信されるデータを受信することができるか否かを判断することができる。
【００１５】
また，データ受信装置に送信するデータとともに，少なくとも機器アドレス記憶部に記憶されたデータ受信装置の機器アドレスを送信するようにしてもよい。これにより，データ送信装置は，機器アドレスにより指定されたデータ受信装置にデータを送信することが可能となる。
【００１６】
前記コマンド送信部は，前記表示部に表示された前記データ受信装置に，赤外線により通信指定コマンドを送信するようにしてもよい。これにより，無指向性アンテナから指向性アンテナに切り替えずとも，赤外線により通信指定コマンドを送信することができ，複数のデータ受信装置のなかから，１のデータ受信装置を指定することが可能となる。
【００１７】
また，上記データ送信装置に備わる撮像部は，赤外線を用いたオートフォーカス機構によりデータ受信装置までの距離を測定し，測定された距離に応じて送信するデータの送信出力を決定するようにしてもよい。
【００１８】
また，上記データ送信装置に備わる撮像部は，赤外線を用いたオートフォーカス機構によりデータ受信装置までの距離を測定し，測定された距離に応じてデータを送信するデータ伝送レートを決定するようにしてもよい。
【００１９】
また，上記データ送信装置に備わる撮像部は，赤外線を用いたオートフォーカス機構によりデータ受信装置までの距離を測定し，測定された距離に応じて無線方式を決定するようにしてもよい。
【００２０】
上記発明によれば，装置間の距離を測定し，その距離に応じた送信出力や，データ伝送レートや通信方式などを選択することができ，効率のより無線通信を行うことが可能となる。
【００２１】
上記課題を解決するために，本発明の別の観点によれば，撮像部を備えたデータ送信装置により，複数のデータ受信装置との間で無線通信により双方向にデータを送受信可能な，データ送信方法であって；複数のデータ受信装置のうち，撮像部により撮像されたデータ受信装置を表示する表示工程と；表示工程により表示されたデータ受信装置をデータの送信先と認識するデータ送信先認識工程と；データ送信先認識工程によりデータの送信先であると認識されたデータ受信装置に指向性アンテナを向ける指向性アンテナ工程と；指向性アンテナ工程により指向性アンテナが向けられたデータ受信装置に，通信指定コマンドを送信するコマンド送信工程と；前記コマンド送信工程により通信指定コマンドを送信された前記データ受信装置から，前記データ受信装置の機器アドレスを含むＡＣＫパケットを受信するＡＣＫ受信工程と；前記ＡＣＫ受信部により受信された前記データ受信装置の機器アドレスを記憶する機器アドレス記憶工程と；を備えることを特徴とする，データ送信方法が提供される。
【発明の効果】
【００２２】
以上説明したように本発明によれば，無線方式により接続された複数の端末のなかから，面倒な設定をせずとも，簡単に特定の端末を指定することができ，ユーザに対する負荷を軽減することが可能な無線通信システム，データ送信装置，データ送信方法を提供することができる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
＜１．無線通信システムの概要＞
まず，図１に基づいて，本実施形態にかかる無線通信システムの概要について説明する。図１は，本実施形態にかかる無線通信システムの概略図である。
【００２５】
近年，インターネット等の通信網に接続された通信装置と，モバイルパーソナルコンピュータ等の通信装置との間を，無線通信によって接続する無線通信ネットワークが一般化されつつある。無線ネットワークに関する標準的な規格の一例として米国電子技術者協会ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１，ＨｉｐｅｒＬＡＮ／２，ＩＥＥＥ８０２．１５．３，Ｂｌｕｅｔｏｏｔｈなどが挙げられる。上記ＩＥＥＥ８０２．１１規格には，無線通信方式や使用する周波数帯域の違いなどにより，ＩＥＥＥ８０２．１１ａ規格，ＩＥＥＥ８０２．１１ｂ規格などの各種無線通信プロトコルが存在する。
【００２６】
このような無線通信ネットワークの一環として，アクセスポイントを介さずに各通信端末同士で直接通信可能なアドホック（Ａｄ−ｈｏｃ）通信が行われる。かかるアドホック通信では，各通信端末同士が直接，ＣＳＭＡのプロトコルの管理下で非同期に無線通信を行うことができる。他にも，ＩＥＥＥ８０２．１５．３におけるＵＷＢ（Ｕｌｔｒａ  Ｗｉｄｅ  Ｂａｎｄ）通信では，アクセスポイントを介してネットワークの管理が行われ，プリアンブルを用いたパケット構造のデータ通信方式により上記のアドホック通信（またはメッシュ通信）を実現している。
【００２７】
また，家庭内など個人が利用するネットワークに，Ｗ−ＰＡＮ（Ｗｉｒｅｌｅｓｓ−Ｐｅｒｓｏｎａｌ  Ａｒｅａ  Ｎｅｔｗｏｒｋ）が知られているが，これは，半径１０ｍ程度の狭い範囲で高速伝送が可能な無線方式である。Ｗ−ＰＡＮの範囲内で無線通信が可能な機器同士は，互いに周辺の無線端末の情報を取得し，無線端末同士が接続可能な状態となる。
【００２８】
図１に示したように，Ｗ−ＰＡＮ３００内に存在するデータ受信装置１００とデータ送信装置２００とは，無線通信によりデータの送受信が可能である。例えば，Ｗ−ＰＡＮ３００内に存在する装置として，データ送信装置１００を備えた携帯電話１００ａと，データ受信装置１００を備えたＰＤＡ（Ｐｅｒｓｏｎａｌ  Ｄｉｇｉｔａｌ  Ａｓｓｉｓｔａｎｃｅ）１００ｂと，データ送信装置１００を備えたデジタルカメラ１００ｃと，データ送信装置１００を備えたデジタルビデオカメラ１００ｄと，データ受信装置２００を備えたプリンタ２００ａと，データ受信装置２００を備えたオーディオシステム２００ｂと，データ受信装置２００を備えたテレビジョン２００ｃと，データ受信装置２００を備えたＰＣ（Ｐｅｒｓｏｎａｌ  Ｃｏｍｐｕｔｅｒ）２００ｄ，データ受信装置２００を備えたポータブルＣＤ２００ｅなどを例示することができる。
【００２９】
通常移動端末には無指向性アンテナが搭載されているため，移動端末の周辺の機器すべてに対して電波が送信される。したがって，Ｗ−ＰＡＮ内に存在する上述した装置すべてに電源が投入されている場合には，装置同士が互いに周辺の無線端末の情報を取得して接続可能な状態となる。例えば，携帯電話１００ａは，携帯電話１００ａ以外の装置と接続可能な状態であり，そのなかからプリンタ２００ａにデータを送信する場合には，ユーザは，データの送信先としてプリンタ２００ａを設定する必要がある。
【００３０】
データの送信先としてプリンタ２００ａを設定するために，ユーザは，例えば，プリンタ２００の機器アドレスを調べて入力したりする等の面倒な設定を行わなければならない。また，携帯電話１００ａの表示部に接続可能な装置のアドレス一覧を表示させることもできる。しかし，装置のアドレスが一覧表示されている場合においても，データ送信先のアドレスを調べて，一覧表示されたアドレスのなかから選択しなければならない。
【００３１】
本発明にかかるデータ送信装置には，ＣＣＤ（Ｃｈａｒｇｅ  Ｃｏｕｐｌｅｄ  Ｄｅｖｉｃｅ）のような画像を撮像する撮像部が備えられている。ユーザは，データの送信先となるデータ受信装置を撮像し，撮像されたデータ受信装置に対して通信指定コマンドを送信してデータ送信先を特定する。指向性アンテナは，上述した無指向性アンテナとは異なり，特定の方向にのみ電波を送信する機能を有する。本実施形態においては，データ送信装置に無指向性アンテナと指向性アンテナを搭載し，必要に応じてアンテナを切り替えることにより，データ送信先となるデータ受信装置を簡単に指定することができる。次に，図２に基づいて本実施形態にかかるデータ受信装置の機能構成について説明する。
【００３２】
＜２．データ送信装置の機能構成＞
図２は，本実施形態にかかるデータ送信装置の機能構成図である。図２に示したように，データ送信装置１００は，入力部１０２と，撮像部１０４と，表示部１０６と，送信先指定モード設定部１０８と，アンテナ切替部１１０と，データ送信先認識部１１２と，制御部１１４と，機器アドレス記憶部１１６と，指向性アンテナ部１１８と，無指向性アンテナ部１２０と，送信部１２２と，受信部１２６，アンテナ１３０，メモリ１３２などを備える。
【００３３】
入力部１０２は，ユーザの入力を受け付けるインタフェース部であって，例えば，キーボード，タッチパネル，ボタン，スイッチ，レバー等の操作手段と，入力信号を生成して出力する入力制御回路などから構成されている。入力部１０２は，ユーザからの入力を受け付けて，その入力に応じた入力信号を，送信先指定モード設定部１０８および撮像部１０４に提供する。
【００３４】
撮像部１０４は，上述したように，ＣＣＤなどの画像を撮像する撮像装置であって，撮像部１０４により撮像された画像は表示部１０６に提供される。表示部１０６は，例えば，ＣＲＴディスプレイ装置，液晶ディスプレイ（ＬＣＤ）装置，ランプ等の表示装置や，スピーカ等の音声出力装置などで構成される。表示部１０６は，撮像部１０４により撮像された画像を表示することができる。
【００３５】
データ送信先認識部１１２は，表示部１０６に表示されたデータ受信装置２００をデータの送信先と認識する機能を有する。このとき，表示部１０６に表示されたデータ受信装置２００をデータの送信先と認識するために，ボタンを押下する等のユーザ入力操作がなされるようにしてもよい。表示部１０６にデータ受信装置２００が表示され，さらにユーザによりボタンを押下する等の入力がなされたときに，データ受信装置２００をデータの送信先と認識するようにしてもよい。データ送信先認識部１１２によりデータ受信装置２００の認識情報がアンテナ切替部１１０および指向性アンテナ部１１８に提供される。
【００３６】
送信先指定モード設定部１０８は，ユーザの入力に応じて，送信先指定モードを設定する機能を有する。送信先指定モードとは，データの送信先であるデータ受信装置２００を指定することができるモードである。送信先指定モードが設定された場合には，データ送信装置１００に備わるアンテナ１３０を無指向性アンテナから指向性アンテナに切り替えることができる。送信先指定モード設定部１０８により送信先指定モードが設定された場合には，その設定情報がアンテナ切替部１１０に提供される。
【００３７】
アンテナ切替部１１０は，送信先指定モード設定部１０８により送信先指定モードが設定された場合およびデータ送信先認識部１１２によりデータ受信装置２００の認識情報が提供された場合には，アンテナ１３０を指向性アンテナに切り替えて，データの送信先であるデータ受信装置に指向性アンテナを向けるように指向性アンテナ部１１８に指示する。
【００３８】
指向性アンテナ部１１８は，アンテナ切替部１１０の指示により，アンテナ１３０を指向性アンテナに切り替えて，指向性アンテナをデータ送信先であるデータ受信装置に向ける機能を有する。
【００３９】
無指向性アンテナ部１２０は，送信先指定モードの設定が解除されたり，特定のデータ受信装置が指定されていない場合，つまり通常のモードの場合には，アンテナ１３０を無指向性アンテナに切り替える機能を有する。
【００４０】
送信部１２２は，例えば，通信回線，通信回路，通信デバイス等で構成された通信インタフェースであり，少なくともコマンド送信部１２４を含む。コマンド送信部１２４は，データ送信先認識部１１２によりデータの送信先と認識されたデータ受信装置２００のコマンド受信部２０４に通信指定コマンドを送信する。データ送信装置１００のコマンド送信部１２４からデータ受信装置２００のコマンド受信部２０４に送信される通信指定コマンドについては後述する。
【００４１】
制御部１１４は，データ送信装置１００の各部の処理を制御する機能を有する。制御部１１４は，送信先指定モード設定部１０８により設定された送信先指定モードの設定状況や，データ送信先認識部１１２により認識されたデータ送信先の認識状況に応じてアンテナ切替部１１０を通じてアンテナ１３０を切り替えたり，送信部１２２を通じて通信指定コマンドをデータ受信装置２００に送信したりする。
【００４２】
受信部１２６は，例えば，通信回線，通信回路，通信デバイス等で構成された通信インタフェースであり，少なくともＡＣＫ受信部１２８を含む。ＡＣＫ受信部１２８は，データ受信装置２００に備わる送信部２０６のＡＣＫ送信部２０８より，データ受信装置２００のＡＣＫパケットを受信する。ＡＣＫパケットには，データ受信装置２００の機器アドレスが含まれており，ＡＣＫ受信部１２８は，データ受信装置２００の機器アドレスを機器アドレス記憶部１１６に提供する。
【００４３】
機器アドレス記憶部１１６は，ＡＣＫ受信部１２８より提供されたデータ受信装置２００の機器アドレスを記憶する機能を有する。また，機器アドレス記憶部１１６は，データ受信装置２００の機器アドレスを記憶したことを制御部１１４に通知する。機器アドレスが記憶されたことを通知された制御部１１４は，送信先指定モードを解除して，アンテナ１３０を指向性アンテナから無指向性アンテナに切り替える制御を行う。
【００４４】
メモリ１３２は，各種データを格納する装置であって，例えば，ハードディスクドライブ，フラッシュメモリ等で構成される。
【００４５】
上記の如く，データ送信装置１００がデータの送信先であるデータ受信装置２００を指定した後は，通常の無線システムの制御と同様に，送信データをデータ受信装置２００に送信することが可能となる。一般的な無線方式の通信パケットの構成例については後述する。
【００４６】
以上，データ送信装置１００の機能構成について説明した。次に，データ受信装置２００の機能構成について説明する。
【００４７】
＜３．データ受信装置の機能構成＞
データ受信装置２００は，受信部２０２と，送信部２０６と，入力部２１０と，表示部２１２と，メモリ２１４と，制御部２１６と，アンテナ２２０とを含む。
【００４８】
受信部２０２は，例えば，通信回線，通信回路，通信デバイス等で構成された通信インタフェースであり，少なくともコマンド受信部２０４を含む。コマンド受信部２０４は，データ送信装置１００のコマンド送信部１２４により送信された通信指定コマンドを受信する。
【００４９】
送信部２０６は，例えば，通信回線，通信回路，通信デバイス等で構成された通信インタフェースであり，少なくともＡＣＫ送信部２０８を含む。ＡＣＫ送信部２０８は，コマンド受信部２０４により通信指定コマンドが受信された後，通信指定コマンドを受信したことをデータ送信装置１００に通知するため，ＡＣＫパケットをデータ送信装置１００のＡＣＫ受信部１２８に送信する。
【００５０】
入力部２１０は，ユーザの入力を受け付けるインタフェース部であって，例えば，キーボード，タッチパネル，ボタン，スイッチ，レバー等の操作手段と，入力信号を生成して出力する入力制御回路などから構成されている。
【００５１】
表示部２１２は，例えば，ＣＲＴディスプレイ装置，液晶ディスプレイ（ＬＣＤ）装置，ランプ等の表示装置や，スピーカ等の音声出力装置などで構成される。メモリ２１４は，各種データを格納する装置であって，例えば，ハードディスクドライブ，フラッシュメモリ等で構成され，データ送信装置１００より送信されたデータを格納することができる。
【００５２】
制御部２１６は，データ受信装置２００の各部の処理を制御する機能を有する。制御部２１６は，コマンド受信部２０４が通信指定コマンドを受信した後，ＡＣＫ送信部２０８によりＡＣＫパケットを送信するように制御することができる。
【００５３】
以上，データ送信装置１００とデータ受信装置２００の機能構成について説明した。データ受信装置２００は，少なくとも，受信部と送信部と制御部を備えていればよく，例えば，図２に示したデータ送信装置１００を，データ受信装置２００として機能させることもできる。次に，図３および図４に基づいて，上述した通信指定コマンドおよび通信パケットの構成例について説明する。
【００５４】
＜４．通信指定コマンドおよび通信パケットの構成例＞
図３は，データ送信装置１００のコマンド送信部１２４により送信される通信指定コマンドの構成例を示した図である。通信指定コマンド４０は，先頭に同期を取るためのプリアンブル４０２と，送信元アドレス４０４と，データの長さ４０６と，データの種類４０８などを含んで構成される。
【００５５】
プリアンブル４０２は，データ通信において，他の端末にフレームの送信を通知するためのデータである。データ受信装置２００は，プリアンブル４０２を含むフレームを受信して，フレームの始まりを知ることができる。
【００５６】
送信元アドレス４０４は，データの送信元であるデータ送信装置１００の情報であって，例えばデータ送信装置１００の機器アドレスなどである。データの長さ４０６およびデータの種類４０８は，それぞれ，通信確立後にデータ送信装置１００からデータ受信装置２００に送られるデータの長さおよびデータの種類が格納されている。
【００５７】
データ受信装置２００は，通信指定コマンド４０を受信することにより，データの送信元アドレス，データの長さ，データの種類などを予め確認することができる。以上，通信指定コマンド３０について説明した。次に，一般的な無線方式の通信パケットの構成例について説明する。
【００５８】
図４は，一般的な無線方式の通信パケットの構成例である。データ送信装置１００は，送信データを送信する前に，通信指定コマンド４０をデータ受信装置２００に送信する。通信指定コマンド４０を受信したデータ受信装置２００は，送信予定のデータの長さや種類に問題がないことを確認して，データ送信装置１００にＡＣＫパケットを送信する。データ受信装置２００からデータ送信装置１００に送信されるＡＣＫパケットには，データ受信装置２００の機器アドレスが含まれている。データ受信装置２００からＡＣＫパケットを受信したデータ送信装置１００は，送信データを含む通信パケットをデータ受信装置２００に送信する。
【００５９】
図４に示したように，通信パケット５０は，先頭に同期を取るためのプリアンブル４１０と，送信元アドレス４１２と，送信先アドレス４１４と，データ４１６などを含んで構成される。
【００６０】
プリアンブル４１０は，通信指定コマンド４０のプリアンブル４０２と同様，データの通信において，他の端末にフレームの送信を通知するためのデータである。送信元アドレス４１２は，データ送信装置１００の機器アドレスである。送信先アドレス４１４は，上述したＡＣＫパケットに含まれる送信先となるデータ受信装置２００の機器アドレスである。そして，データ４１６は，通信指定コマンド４０のデータの長さ４０６とデータの種類４０８に応じたデータである。
【００６１】
本発明にかかるデータ送信装置１００は，指向性アンテナの向けられた方向に位置するデータ受信装置２００に通信指定コマンド４０を送信する。通信指定コマンド４０を受信したデータ受信装置２００は，ＡＣＫパケットをデータ送信装置１００に送信する。データ受信装置２００の機器アドレス情報を受信したデータ送信装置１００は，データ受信装置２００にデータを送信することができる。
【００６２】
したがって，データ送信装置１００を所有するユーザは，データ送信先を設定するために，データ受信装置２００の機器アドレスを入力したり，複数のデータ受信装置から１のデータ受信装置を選択したりしなくてもよい。ユーザは，データ送信先となるデータ受信装置２００を撮像して，ボタンを押下する等の簡単な操作だけで，データの送信先を指定することが可能となる。
【００６３】
以上，通信パケットの構成例について説明した。次に，図５に基づいて，一般的な無線接続プロトコルについて説明する。
【００６４】
＜５．無線接続プロトコル＞
図５は，一般的な無線接続プロトコルを説明する説明図である。まず，データ送信装置１００は，データ送信装置１００の周辺に無線通信可能な無線装置があるか否かを判断する。そして，データ送信装置１００は，自身の周辺の無線装置を把握し，どの無線装置と通信を行うことが可能なのかを予め知ることができる。この作業は，「問合せ」と呼ばれ，データ送信装置１００は，問合せメッセージを周辺装置に配信する（Ｓ１０２）。
【００６５】
ステップＳ１０２において，問合せメッセージを受信したデータ受信装置２００は，機器アドレス等のデータ受信装置２００に関する情報をデータ送信装置１００に返信する（Ｓ１０４）。ステップＳ１０４において，無線通信可能なデータ受信装置２００の機器アドレス情報等を受け取ったデータ送信装置１００は，そのアドレス情報を元に，自身の周辺にどのような装置が存在しているかを知る（ネゴシエーション）ことができる（Ｓ１０６）。データ送信装置１００は，アドレス情報等の返信のあったデータ受信装置２００と接続する。
【００６６】
データ送信装置１００とデータ受信装置２００とは，上述したような無線接続プロトコルを利用して接続可能となり，データ送受信可能な状態となる。複数の無線装置がデータ送受信可能な状態となった後に，データ送信装置１００は，データを送信するデータ受信装置２００を指定する。本実施形態においては，データ送信装置１００がデータ送信先となるデータ受信装置２００を，面倒な設定をすることなく，直感的にわかりやすい方法で指定することができるようにすることで，無線通信におけるデータの送受信をより簡便に行うことが可能となる。
【００６７】
以上，一般的な無線接続プロトコルについて説明した。次に，図６に基づいて，データ送信装置１００の処理の流れを説明する。
【００６８】
＜６．データ送信装置の処理の流れ＞
図６は，データ送信装置１００の処理の流れを示すフローチャートである。図５に示したように，データ送信装置１００とデータ受信装置２００は，無線通信にて装置間の登録，認証は行われて接続されており，データ送受信可能な状態となっている。
【００６９】
まず，データ送信装置１００の撮像部において，ユーザにより，データ受信装置２００が撮像される（Ｓ２０２）。データ送信装置１００を所有するユーザは，データ送信装置１００に備わる撮像部により，データ送信先となるデータ受信装置２００を撮像して，表示部にデータ受信装置２００が表示されるのを確認する。
【００７０】
ステップＳ２０２によりデータ受信装置２００を撮像した後，撮像したデータ受信装置２００をデータ送信先に指定する（Ｓ２０４）。ユーザは，ステップＳ２０４において，例えば，ボタン等を押下することにより，表示部に表示されたデータ受信装置２００をデータ送信先に指定することが可能となる。
【００７１】
次に，ステップＳ２０４において指定されたデータ受信装置２００とプロトコル通信を行う（Ｓ２０６）。ステップＳ２０６において，データ送信装置１００は，上述した通信指定コマンドをデータ受信装置２００に送信する。そして，データ受信装置２００からＡＣＫパケットが返された後，データ送信装置１００は，指定したデータ受信装置２００とデータの送受信が可能となる。
【００７２】
ステップＳ２０６において，データ送信装置１００とデータ受信装置２００の間でプロトコル通信が行われた後，データ送信装置１００はデータ受信装置２００にデータを送信する（Ｓ２０８）。このときに送信されるデータが，上述した通信パケットに含まれているデータであり，データ送信装置１００は通信パケットをデータ受信装置２００に送信することにより，指定したデータ受信装置２００にデータを送信することが可能となる。以上，データ送信装置１００の処理の流れを説明した。次に，図７に基づいて，データ受信装置２００の処理の流れを説明する。
【００７３】
＜７．データ受信装置の処理の流れ＞
図７は，データ受信装置２００の処理の流れを示すフローチャートである。データ受信装置２００においても，データ送信装置と同様に，無線通信にて装置間の登録，認証は行われて接続されており，データ送受信可能な状態となっている。
【００７４】
データ受信装置２００は，データ送受信可能となったデータ送信装置１００より，通信指定コマンドが送信されるのを待つ（Ｓ２１２）。そして，データ送信装置１００より送信された通信指定コマンドを受信する（Ｓ２１４）。
【００７５】
上述したように，通信指定コマンドには，同期を取るためのプリアンブルや，送信元アドレス，データの長さ，データの種類等が含まれている。データ受信装置２００は，通信指定コマンドに含まれる各データを確認する。例えば，送信元とデータの送受信が可能か否か，データの長さ，データの種類に問題がないかなどを判断して，データ送信装置１００とプロトコル通信を行う（Ｓ２１６）。ステップＳ２１６において，上述したＡＣＫパケットがデータ受信装置２００からデータ送信装置１００に送信され，データ受信装置２００は，データを受信可能な状態となる。
【００７６】
ステップＳ２１６において，データ受信装置２００はデータ送信装置１００とプロトコル通信を行った後，データ送信装置１００より送信されたデータを受信する（Ｓ２１８）。以上，データ受信装置２００の処理の流れを説明した。次に，データ送信装置１００が，データ受信装置２００を指定する際の処理の流れについて詳細に説明する。
【００７７】
＜８．データ受信装置指定の処理の流れ＞
図８は，データ送信装置１００がデータ受信装置２００を指定する際の処理の流れを示したフローチャートである。データ送信装置１００を所有するユーザは，データ送信装置１００のデータを周辺機器であるデータ受信装置２００に送信すると仮定する。まず，データ送信装置１００のユーザの入力に応じて，送信先指定モードを設定する（Ｓ３０２）。ステップＳ３０２において，送信先指定モードが設定された場合，データ送信装置１００に備わるアンテナが指向性アンテナに切り替えられる。指向性アンテナは，特定の方向に向かう性質を持つアンテナであり，特定の方向のみに電波を発射することが可能となる。
【００７８】
次に，データ送信装置１００に備わる撮像部により，データの送信先となるデータ受信装置を撮像する（Ｓ３０６）。ステップＳ３０６において撮像されたデータ受信装置が，データ送信装置１００の表示部に表示される（Ｓ３０８）。そして，ユーザによるボタン押下等の操作により，表示部に表示されたデータ受信装置をデータの送信先と認識する（Ｓ３１０）。
【００７９】
ステップＳ３０６〜Ｓ３０８の処理により，指向性アンテナにより電波を発射する方向を指定することが可能となる。本実施形態においては，送信先指定モードを設定した後，データの送信先となるデータ受信装置を指定しているが，かかる例に限定されない。例えば，ステップＳ３１０において，データ送信装置の表示部に表示されたデータ受信装置をデータの送信先であると認識するために，ユーザによりボタン等が押下されたときに，アンテナを指向性アンテナに切り替えるようにしてもよい。
【００８０】
ステップＳ３１０において，データの送信先が認識され，指定された後，データ送信先に通信指定コマンドが送信される（Ｓ３１２）。ステップＳ３１２において，通信指定コマンドを送信されたデータ受信装置２００は，通信指定コマンドを受信した後，通信指定コマンドを受信したことを通知するために，ＡＣＫパケットをデータ送信装置１００に送信する。データ送信装置１００は，データ受信装置２００より送信されたＡＣＫパケットを受信する（Ｓ３１４）。
【００８１】
データの送信先となるデータ受信装置２００よりＡＣＫパケットを受信したデータ送信装置１００は，ＡＣＫパケットに含まれるデータ受信装置２００の機器アドレスを記憶する（Ｓ３１６）。データ送信装置１００は，ステップＳ３１６においてデータ送信先となるデータ受信装置２００の機器アドレスを記憶した後，指向性アンテナに切り替えたアンテナを，無指向性アンテナに切り替える（Ｓ３１８）。
【００８２】
ステップＳ３１６において，データ受信装置２００の機器アドレスを記憶すれば，送信するデータに送信先アドレスを付加することができる。上述した通信パケットにおいて，送信先アドレスにデータ受信装置２００の機器アドレスを指定することにより，通常の無線方式でデータ送信装置１００とデータ受信装置２００の間でデータの送受信が可能となる。
【００８３】
上述したように，データ送信装置１００に備わるアンテナは，必要に応じて，指向性アンテナから無指向性アンテナに，また無指向性アンテナから指向性アンテナに切り替えることが可能である。無線通信により，周辺の機器間で無線通信を行うことが可能となり，その後，指向性アンテナに切り替えることにより，簡単にかつ直感的に複数のデータ受信装置のなかから，１のデータ受信装置を特定することが可能となる。以上，データ受信装置指定の処理の流れを説明した。本実施形態においては，指向性アンテナを用いてデータ受信装置を指定するようにしたが，かかる例に限定されない。
【００８４】
例えば，データ受信装置２００を指定する際に，赤外線を用いてもよい。赤外線を利用する場合には，データ送信装置１００に赤外線により電源制御信号を発信する赤外線発光部を備えて，赤外線発光部により通信指定コマンドが送信される。本実施形態においては，コマンド送信部１２４が，赤外線により通信指定コマンドを送信するようにしてもよい。
【００８５】
データ送信装置１００に備わる赤外線発光部より送信された通信指定コマンドは，データ受信装置２００において受信される。この場合，データ受信装置２００には，赤外線を受光する赤外線受光部を備える必要がある。本実施形態においては，データ受信装置２００に備わるコマンド受信部２０４が，赤外線により送信された通信指定コマンドを受光するようにしてもよい。
【００８６】
赤外線により通信指定コマンドを送受信する場合には，データ送信装置の赤外線発光部とデータ受信装置の赤外線受光部とを物理的に向き合わせることにより，データの送受信が可能となる。したがって，赤外線を用いることにより，無指向性アンテナを指向性アンテナに切り替えずとも，複数のデータ受信装置のなかから，１のデータ受信装置を指定することが可能となる。
【００８７】
また，データ送信装置１００とデータ受信装置２００との距離や配置状況に応じて，赤外線を用いてデータ送信先を指定するか，指向性アンテナを用いてデータ送信先を指定するかを選択するようにしてもよい。赤外線を用いてデータの送信先であるデータ受信装置２００を特定する場合には，データ送信装置１００の赤外線発光部と，データ受信装置２００の赤外線受光部とを近づける必要がある。データ送信装置１００とデータ受信装置２００との距離が近い場合であっても，データ受信装置２００の赤外線受光部が壁際に位置している場合には，データ受信装置２００の位置を変更しなければならない。このとき，指向性アンテナを用いれば，データ受信装置２００の位置を変更する等の煩わしい作業をせずとも，データの送信先を指定することが可能となる。
【００８８】
上述したように，データ送信装置１００に赤外線発光部が備えられ，さらに赤外線を利用したオートフォーカス機構が備えられている場合，データ送信装置１００とデータ受信装置２００の機器間距離を測定することができる。次に，図９〜図１１に基づいて，オートフォーカス機構を利用したデータの送信制御について説明する。
【００８９】
＜９．オートフォーカス機構を利用した送信制御＞
上述したように，データ送信装置１００にオートフォーカス機構が備えられていれば，そのオートフォーカス機構により，データ送信装置１００とデータの送信先となるデータ受信装置２００との間の距離を測定することが可能となる。データ送信装置１００は，赤外線発光部より赤外線を投光して，撮像部に撮像された被写体から反射した赤外線の入射角度により，距離を測定する。例えば，入射角が浅い場合は被写体が遠く，入射角が深い場合には，被写体が近くに存在することとなる。
【００９０】
このように赤外線により距離を測定し，その距離に応じて送信出力を制御するようにしてもよい。図９は，データ送信装置１００とデータ受信装置２００の距離４２０と送信出力４２２との関係を示した表である。例えば，データ送信装置１００のメモリに，予め距離に応じて送信出力を決定するデータを記憶させておく。データ送信装置１００の制御部は，赤外線により測定した距離とメモリに記憶されているデータを比較して，測定された距離に応じた送信出力を決定することが可能となる。
【００９１】
例えば，データ送信装置１００とデータ受信装置２００との距離が２ｍであった場合には，−２５ｄＢｍでデータを送信するように制御することが可能となる。このように，距離に応じて送信出力を変化させることにより，データ送信装置１００の消費電力を抑えることが可能となる。
【００９２】
次に，スペクトラム拡散方式の場合を利用した場合について説明する。スペクトラム拡散方式とは，デジタル信号を拡散符号と呼ばれる信号によって，元の信号より広い帯域に拡散させた上で送信し，受信側で同じ拡散符号によって元のデジタル信号を復元する方式である。スペクトラム拡散方式により，同じ拡散符号を利用しないと元の信号が復元できないため，機密性を確保することができる。また，ノイズに強く，過密状態になっても急激な品質低下を起こさないようにすることができる。
【００９３】
図１０は，データ送信装置１００とデータ受信装置２００の距離４２４と拡散率４２６と伝送レート４２８との関係を示した表である。例えば，データ送信装置１００のメモリに，予め距離に応じて拡散率と伝送レートを決定するデータを記憶させておく。データ送信装置１００の制御部は，赤外線により測定した距離とメモリに記憶されているデータを比較して，測定された距離に応じた拡散率および伝送レートを決定することが可能となる。
【００９４】
例えば，距離が２ｍと短い場合には，拡散率を下げて通信品質を落とし，伝送レートを高くする。また，距離が９ｍと遠い場合には，拡散率をあげて通信品質を上げ，伝送レートを下げるように制御する。このように距離に応じて拡散率を変化させることにより，送信出力を一定にして，データ通信量を適切に制御することが可能となる。
【００９５】
次に，測定した距離に応じて，無線方式を決定する方法について説明する。図１１は，無線方式４３０と，無線方式の通信範囲４３２と，最大伝送レート４３４の関係を示した表である。例えば，データ送信装置１００のメモリに，予め距離とデータ量に応じて無線方式を決定するデータを記憶させておく。データ送信装置１００の制御部は，赤外線により測定した距離と送信データのデータ量と，メモリに記憶されているデータとを比較して，最適な無線方式を選択することが可能となる。
【００９６】
例えば，送信データが５００Ｍｂｉｔであり，通信距離が４ｍであった場合には，データ送信装置１００の制御部は，Ｂ（ＵＷＢ等）の無線方式を選択することができる。一方，送信データが５００Ｍｂｉｔであり，通信距離が２０ｍであった場合には，Ｃ（８０２．１１等）の無線方式を選択することができる。
【００９７】
このように，測定した距離に応じて，最適な送信出力や，拡散率や，通信方式等を選択することにより，効率のよい無線通信を行うことが可能となる。
【００９８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９９】
上述の実施形態では，指向性アンテナまたは赤外線を利用して，通信指定コマンドをデータ送信先に送信し，データ送信先より機器アドレスを含むＡＣＫパケットが返信されることにより，データの送信先を特定することが可能となった。本発明はかかる実施形態に限定されず，例えばデータ送信先となるデータ受信装置に機器情報を含むバーコードを付し，そのバーコードを撮像することにより，機器情報を取得するようにしてもよい。
【０１００】
上述したバーコードが，例えば，ＱＲ（Ｑｕｉｃｋ  Ｒｅｓｐｏｎｓｅ）コードである場合には，データ送信装置にＱＲコード読み取り部を備えることにより，データ受信装置に付されたＱＲコードを取得して，解読することが可能となる。データ受信装置に付されたＱＲコードに，機器情報として，例えばメーカー，製品名，制御情報，機器判別番号等を設定することができる。そして，データ送信装置に備えられた撮像部でこのＱＲコードを撮像することにより，データ受信装置の機器情報を取得することができる。したがって，ユーザは，データ受信装置に付されたＱＲコードを撮像するだけで，データ送信先を指定することが可能となる。
【０１０１】
また，上述の実施形態においては，撮像部を備えたデータ送信装置によりデータ受信装置の特定がなされたが，かかる例に限定されず，データ送信装置とは別体の装置でデータ受信装置の特定をするようにしてもよい。例えば，この別体の装置が，撮像部と，送受信部と，メモリ等を備えるリモコンであったとする。ユーザは，リモコンに備えられた撮像部によりデータ受信装置に付されたＱＲコードを撮像して，データ受信装置の機器情報を取得する。そして，取得した機器情報をデータ送信装置に送信する。データ受信装置の機器情報を送信されたデータ送信装置は，データを送信する装置を特定して，送信データを特定したデータ受信装置に送信することが可能となる。
【産業上の利用可能性】
【０１０２】
本発明は，無線通信システム，データ送信装置および無線通信方法に適用可能である。
【図面の簡単な説明】
【０１０３】
【図１】本発明の実施形態にかかる無線通信システムの概要を示す概略図である。
【図２】同実施の形態にかかるデータ送信装置およびデータ受信装置の機能構成図である。
【図３】同実施の形態にかかるデータ送信装置により送信される通信指定コマンドの構成例を示した図である。
【図４】一般的な無線方式の通信パケットの構成例を示した図である。
【図５】一般的な無線接続プロトコルを説明する説明図である。
【図６】本発明の実施形態にかかるデータ送信装置の処理の流れを示すフローチャートである。
【図７】同実施の形態にかかるデータ受信装置の処理の流れを示すフローチャートである。
【図８】同実施の形態にかかるデータ送信装置がデータ受信装置を指定する際の処理の流れを示すフローチャートである。
【図９】同実施の形態にかかるデータ送信装置とデータ受信装置の距離と送信出力との関係を示した表である。
【図１０】同実施の形態にかかるデータ送信装置とデータ受信装置の距離と拡散率と伝送レートとの関係を示した表である。
【図１１】同実施の形態にかかる無線方式の通信範囲と，最大伝送レートの関係を示した表である。
【符号の説明】
【０１０４】
１００      データ送信装置
１０４      撮像部
１０６      表示部
１０８      送信先指定モード設定部
１１０      アンテナ切替部
１１２      データ送信先認識部
１１６      機器アドレス記憶部
１１８      指向性アンテナ部
１２０      無指向性アンテナ部
１２４      コマンド送信部
１２８      ＡＣＫ受信部
２００      データ受信装置
２０４      コマンド受信部
２０８      ＡＣＫ送信部
【図１】
2006197248.tif 000003
【図２】
2006197248.tif 000004
【図３】
2006197248.tif 000005
【図４】
2006197248.tif 000006
【図５】
2006197248.tif 000007
【図６】
2006197248.tif 000008
【図７】
2006197248.tif 000009
【図８】
2006197248.tif 000010
【図９】
2006197248.tif 000011
【図１０】
2006197248.tif 000012
【図１１】
2006197248.tif 000013